(57)【特許請求の範囲】
【請求項１】
波目に平行な方向には伸縮しない波板と、前記波目と直交する方向に伸縮性を有する平板とが貼り合わされてなる片面段ボールから構成された緩衝包装紙。
【請求項２】
前記伸縮シートがクレープ紙から構成されていることを特徴とする請求項１に記載の緩衝包装紙。
【請求項３】
前記伸縮シートがハニーペーパーから構成されていることを特徴とする請求項１に記載の緩衝包装紙。
【請求項４】
前記伸縮シートが伸縮性を有する不織布から構成されていることを特徴とする請求項１に記載の緩衝包装紙。
【発明の詳細な説明】
【技術分野】
【０００１】
本発明は、片面段ボールを用いた緩衝包装紙に関する。
【背景技術】
【０００２】
段ボールは強靱で且つクッション性を有することから、組み立てて箱にしたり重ねて緩衝材としたり等、様々な分野で利用されている。特に、片面段ボールは、両面段ボールと異なり波板の波目（波板の山或いは谷が延びる方向）に直交する方向に容易に折り曲げたり湾曲させたりすることができることから、物品を包んだり容器内に収容された物品間の隙間に配置されたりする緩衝包装材として広く利用されている。
【０００３】
しかし、片面段ボールは波目に直交する方向には折り曲げられるものの、それ以外の方向には容易に折り曲げることができない。このため、直方体や筒状体の物品であれば包装が可能であるが、球体や花瓶等の異形物の包装には適していない。
これに対して、本出願人は、果物などの丸みを帯びた物品の包装紙として特許文献１に記載のものを開発した。この包装紙は片面段ボールを素材とするものであり、放射状に延びる複数の包み葉を有し、その中心部に物品を乗せた後、包み葉を引上げて物品を包み込むようになっている。
【先行技術文献】
【特許文献】
【０００４】
【特許文献１】特開平7-330056号公報(図1〜図3)
【発明の概要】
【発明が解決しようとする課題】
【０００５】
ところが、上記包装紙は物品の外形の形状や大きさ等に合わせて包み葉の形状や大きさが設定されているため、汎用性に欠ける。
本発明が解決しようとする課題は、どのような形状の物品でも、その外形に沿って包装でき、且つ、十分に保護することができる緩衝包装紙を提供することである。
【課題を解決するための手段】
【０００６】
上記課題を解決するために成された本発明は、波目に平行な方向には伸縮しない波板と、前記波目と直交する方向に伸縮性を有する平板とが貼り合わされてなる片面段ボールから構成された緩衝包装紙であることを特徴とする。
【０００７】
ここで、前記伸縮シートにはクレープ紙を用いることができる。クレープ紙は原紙に皺を形成する加工を施し、そのまま皺が残るようにしたもので、皺と交差する方向に伸縮させることができる。また、伸縮シートには、クレープ紙の他、ハニーペーパーと呼ばれる多数の切り込みが入れられた緩衝紙や伸縮柔軟性を有する不織布等を用いることも可能である。
【０００８】
また、片面段ボールに、波板の波目に沿う方向に圧縮する加工を施すことが好ましい。
更に、片面段ボールに、波板の波目に沿う方向に圧縮した後、所定の長さに引き伸ばす加工を施すことが好ましい。
このような加工を施すことにより、緩衝包装紙を縦横に自由に伸縮させることができる。また、片面段ボールを圧縮することにより緩衝包装紙全体に形成される皺によって外観性が向上し、ファッション性を有する緩衝包装紙となる。
【発明の効果】
【０００９】
本発明に係る緩衝包装紙は、片面段ボールの平板側を被包装物に当てて当該被包装物を包むと必要に応じて自然に伸縮し、外形に倣う。従って、被包装物が異形物であっても、緩衝包装紙をその外形に沿わせて包装することができる。また、前記緩衝包装紙は波板と平板の二層構造であるため、十分な強度を有する緩衝材として被包装物を保護することができる。更に、古紙をリサイクルした原紙を用いて平板及び波板を構成すれば、省資源化、廃棄容易性の面で優れたものとなる。
【図面の簡単な説明】
【００１０】
【図１】本発明の第１の実施形態に係る緩衝包装紙の斜視図（ａ）、分解斜視図（ｂ）。
【図２】緩衝包装紙の伸縮性を説明するための図。
【図３】本発明の第２の実施形態に係る緩衝包装紙の製造方法を模式的に示す図であって圧縮前の状態（ａ）及び圧縮後の状態（ｂ）を示す図。
【図４】別の製造方法を模式的に示す図。
【図５】本発明の第３の実施形態に係る緩衝包装紙の製造方法を模式的に示す図。
【発明を実施するための形態】
【００１１】
本発明の第１の実施形態である緩衝包装紙を図１に示す。本実施形態の緩衝包装紙１０は、波板１１と平板１２が貼り合わされた片面段ボールから構成されている。波板１１は、例えば段ボールの古紙をリサイクルした原紙を用いて構成されており、その谷部分において平板１２に接着されている。
平板１２は前記波板１１の波目に沿う方向に延びる多数の縮緬状の皺（図示せず）を有するクレープ紙から構成されている。クレープ紙は、古紙をリサイクルした原紙に皺を形成し、例えば形状保持剤で皺を固める加工を施したもので、皺と交差する方向に伸縮する性質を有している。
【００１２】
波板１１がその谷部分で平板１２に接着されているため、図２に示すように平板１２を伸縮させると波板１１の谷の間隔が伸縮し、これにより緩衝包装紙１０全体が矢印Ａ方向に伸縮する。
従って、緩衝包装紙１０で被包装物を包むと必要に応じて緩衝包装紙１０が伸縮し、緩衝包装紙１０が被包装物の外形に沿う。このため、被包装物の外形がどのような形状であっても前記緩衝包装紙１０によって良好に包むことができる。また、本実施形態の緩衝包装紙は波板１１と平板１２の二層構造であるため、クレープ紙だけからなる緩衝包装紙に比べて強度が向上し、被包装物を十分に保護することができる。
【００１３】
本発明の第２の実施形態に係る緩衝包装紙について図３を用いて説明する。第２の実施形態の緩衝包装紙２０は、第１の実施形態に係る緩衝包装紙１０を波板１１の波目に沿う方向に圧縮したもので、波板１１及び平板１２には波目とほぼ直交する多数の皺（図示せず）が形成されている。具体的には、圧縮されることにより波板１１は山部分が座屈して折れ曲がった状態になり、その結果、多数の皺が形成される。また、クレープ紙からなる平板１２には、クレープ紙本来の皺とは別に、波板１１の波目とほぼ直交する多数の皺が形成される。
【００１４】
緩衝包装紙２０は、例えば帯状の緩衝包装紙１０を芯を用いずに巻回して筒状体２５を形成し、この筒状体２５をプレス機のプレス板２７で圧縮することにより製造される。プレス機から取り出された筒状体２５は若干復元して幅が広がるものの、波板１１及び平板１２には、波目に沿う方向に延びる多数の皺及び波目と直交する多数の皺が形成されている。
【００１５】
このような構成の緩衝包装紙２０は、波板１１の波目と交差する方向及び波目に沿う方向に自由に伸縮することができる。このため、より一層複雑な外形状の被包装物であっても前記緩衝包装紙２０をその外形に沿わせて良好に包装することができる。
また、波板１１の波目に沿う方向に圧縮させたことにより緩衝包装紙１０の厚みが増すため、強度が高い
【００１６】
尚、図４に示すように、緩衝包装紙２０は、矩形シート状の緩衝包装紙１０を複数枚積層して矩形箱状の積層体２９を形成し、この積層体２９を積層方向と直交する方向に圧縮して製造することも可能である。
【００１７】
本発明の第３の実施形態に係る緩衝包装紙３０について図５を用いて説明する。本実施形態の緩衝包装紙３０は、片面段ボールを圧縮したものを適宜の幅に引き伸ばしたものである。引き伸ばす割合を調整することにより、緩衝包装紙３０の伸縮性や緩衝性、強度を調整することができる。
本実施形態の緩衝包装紙３０は、例えばシート状の片面段ボールの筒状体２５を圧縮した後、この筒状体２５から片面段ボールシートを引き出し、適宜の幅に広げながら別の筒状体２５ａに巻き取ることにより形成することができる。
【００１８】
尚、本発明の緩衝包装紙は、被包装物を包むために用いるほか、包装容器内に収容された被包装物の隙間を埋める緩衝材としても用いることができる。
また、本発明は上記した実施形態に限定されるものではなく、特許請求の範囲に記載した要旨の範囲内で種々の変形、拡張が可能である。
【符号の説明】
【００１９】
１０，２０，３０・・・緩衝包装紙
１１・・・波板
１２・・・平板
１３，２１，２２・・・皺
２５・・・筒状体
２７・・・プレス板
２９・・・積層体
【図１】
0005886240.tif 000002
【図２】
0005886240.tif 000003
【図３】
0005886240.tif 000004
【図４】
0005886240.tif 000005
【図５】
0005886240.tif 000006